(57)【要約】【課題】  従来のカメラでは、ＧＰＳアンテナが、その近傍に設けられたストロボ光を反射させる金属製反射板の動きの影響を受けて受信特性が不安定になる虞があった。【解決手段】  筐体であるカメラボディ２の上面に設けられた表示装置６の情報表示面３１ａに対向して設けられている保護カバー３４に、アンテナ２７を形成する。従って、アンテナ２７は、ＧＰＳ衛星から測位信号を受信するのに有利で、比較的広い受信面積を確保できる、カメラボディ２上面の表示装置６を保護する保護カバー３４に配置される。このため、ペンタ部９の内蔵ストロボをカメラボディ２から突出させることによってストロボ光を前方へ反射させる金属製反射板が移動しても、アンテナ２７は、内蔵ストロボの金属製反射板の動きに影響されずにＧＰＳ衛星からの測位信号を受信することができる。従って、アンテナ２７の受信特性が不安定になる虞はなくなる。【選択図】  図３
2010287988.tif 000002
【特許請求の範囲】
【請求項１】
衛星から測位信号を受信するアンテナと、
前記アンテナで受信された測位信号を基に撮影位置を検出する位置検出手段と、
前記位置検出手段によって検出された撮影位置の情報を記録する位置情報記録手段と、
筐体の上面に設けられて所定の情報を表示する表示手段とを備えた撮影装置において、
前記アンテナは、前記表示手段の情報表示面に対向して設けられて前記表示手段を保護する保護カバーに形成されていることを特徴とする撮影装置。
【請求項２】
請求項１に記載の撮影装置において、
前記アンテナは、前記保護カバーにおける前記表示手段の情報表示面を遮らない位置に形成されていることを特徴とする撮影装置。
【請求項３】
請求項２に記載の撮影装置において、
前記保護カバーは透明樹脂で形成され、前記アンテナは金属で形成されていることを特徴とする撮影装置。
【請求項４】
請求項１に記載の撮影装置において、
前記保護カバーはガラスで形成され、前記アンテナは透明電極膜で形成されていることを特徴とする撮影装置。
【請求項５】
請求項４に記載の撮影装置において、
前記アンテナは、前記表示手段の情報表示面と対向する前記保護カバーの内側面に設けられたグランドプレーン領域と、前記保護カバーの外側面に設けられたアンテナパターン領域とから構成されることを特徴とする撮影装置。
【発明の詳細な説明】
【技術分野】
【０００１】
本発明は、衛星から測位信号を受信するアンテナを備えた撮影装置に関するものである。
【背景技術】
【０００２】
従来この種の撮影装置としては、例えば、特許文献１に開示されたカメラがある。このカメラには、ＧＰＳ衛星からの電波を受信するＧＰＳアンテナがペンタ部に備えられている。カメラは、ＧＰＳ衛星からの電波をこのＧＰＳアンテナで受信し、受信した測位信号を基にカメラが存在する位置を検出する。
【先行技術文献】
【特許文献】
【０００３】
【特許文献１】特開２００３−３１５８９０号公報
【発明の概要】
【発明が解決しようとする課題】
【０００４】
しかしながら、上記従来のカメラのように、ペンタ部にストロボを内蔵しているカメラにおいては、内蔵ストロボを使用する際、ポップアップ機構により内蔵ストロボをカメラ本体から突出させると、ストロボ光を前方へ反射させる金属製反射板も内蔵ストロボの突出に伴って移動する。このため、内蔵ストロボの近傍のペンタ部に設けられたＧＰＳアンテナは、その近傍の金属製反射板の動きの影響を受けて受信特性が不安定になる虞がある。
【課題を解決するための手段】
【０００５】
本発明は、このような課題を解決するためになされたもので、
衛星から測位信号を受信するアンテナと、アンテナで受信された測位信号を基に撮影位置を検出する位置検出手段と、位置検出手段によって検出された撮影位置の情報を記録する位置情報記録手段と、筐体の上面に設けられて所定の情報を表示する表示手段とを備えた撮影装置において、
アンテナが、表示手段の情報表示面に対向して設けられて表示手段を保護する保護カバーに形成されていることを特徴とする。
【０００６】
この構成によれば、アンテナは、衛星から測位信号を受信するのに有利で、比較的広い受信面積を確保できる、筐体上面の表示手段を保護する保護カバーに配置される。このため、内蔵ストロボを筐体から突出させることによってストロボ光を反射させる金属製反射板が移動しても、アンテナは、内蔵ストロボの金属製反射板の動きに影響されずに衛星からの測位信号を受信することができる。従って、アンテナの受信特性が不安定になる虞はなくなる。
【０００７】
また、本発明は、アンテナが、保護カバーにおける表示手段の情報表示面を遮らない位置に形成されていることを特徴とする。
【０００８】
この構成によれば、アンテナが、保護カバーにおける表示手段の情報表示面を遮らない位置に形成されるので、表示手段の視認性を悪化させることはない。
【０００９】
また、本発明は、保護カバーが透明樹脂で形成され、アンテナが金属で形成されていることを特徴とする。
【００１０】
この構成によれば、表示手段の情報表示面は透明樹脂で形成された保護カバーを介して、金属製アンテナによって遮られることなく視認されるので、表示手段の視認性を悪化させることなくアンテナを配置することができる。
【００１１】
また、本発明は、保護カバーがガラスで形成され、アンテナが透明電極膜で形成されていることを特徴とする。
【００１２】
この構成によれば、表示手段の情報表示面は、ガラスで形成された保護カバーまたは透明電極膜で形成されたアンテナを介して視認されるので、表示手段の視認性を悪化させることなくアンテナを配置することができる。
【００１３】
また、本発明は、透明電極膜からなるアンテナが、表示手段の情報表示面と対向する保護カバーの内側面に設けられたグランドプレーン領域と、保護カバーの外側面に設けられたアンテナパターン領域とから構成されることを特徴とする。
【００１４】
この構成によれば、保護カバーの外側面にアンテナパターン領域が設けられ、保護カバーの内側面に表示手段の情報表示面と対向してグランドプレーン領域が広い面積で設けられることにより、アンテナの受信感度を向上させることができる。このため、衛星からの測位信号が微弱であっても、また、雑音が多い状況下でも、衛星からの測位信号を受信することが可能になる。
【発明の効果】
【００１５】
本発明によれば、上記のように、アンテナは、内蔵ストロボの金属製反射板の動きに影響されずに衛星からの測位信号を受信することができ、受信特性が不安定になる虞はなくなる。
【図面の簡単な説明】
【００１６】
【図１】本発明の一実施形態によるデジタルスチルカメラの外観を示す平面図である。
【図２】図１に示すデジタルスチルカメラの電気回路構成を示すブロック図である。
【図３】（ａ）は、図１に示すデジタルスチルカメラの表示装置の平面図であり、（ｂ）は、その構成の概略を示した断面図である。
【図４】図３（ａ）に示す表示装置の保護カバーを下面側から見た裏面図である
【図５】（ａ）は、本発明の一実施形態によるデジタルスチルカメラにおけるアンテナの第１の変形例を示した断面図であり、（ｂ）は、第２の変形例を示した断面図である。
【発明を実施するための形態】
【００１７】
次に、本発明による撮影装置をデジタルスチルカメラに適用した場合における、本発明を実施するための一形態について説明する。
【００１８】
図１は、本発明の一実施形態によるデジタルスチルカメラ１の外観を示す平面図である。
【００１９】
デジタルスチルカメラ１は、上面カバー２ａを有するカメラボディ２と、このカメラボディ２の前面に着脱自在に設けられた撮影レンズ３とから構成されている。カメラボディ２の正面から見て左側には、撮影時に撮影者によって握られるグリップ部４が設けられている。このグリップ部４の上面には、撮影用のシャッターボタンであるレリーズボタン５が設けられており、レリーズボタン５の手前側のカメラボディ２の上面には、デジタルスチルカメラ１に現在設定されている撮影情報などが表示される表示装置６が設けられている。また、グリップ部４と反対側のカメラボディ２の上面には、撮影モードを設定する撮影モードダイヤル８が設けられており、カメラボディ２の上面中央のペンタ部９内には図示しないストロボ装置が内蔵されている。
【００２０】
図２は、図１に示すデジタルスチルカメラ１の電気回路構成を示すブロック図である。
【００２１】
デジタルスチルカメラ１は、ＣＰＵ（Central Processing Unit）１１を備えている。このＣＰＵ１１は、不揮発性メモリ１０に格納されている制御プログラムに従い、デジタルスチルカメラ１内部の各回路について種々の制御処理を行う。
【００２２】
撮影レンズ３によってカメラ内部に導かれた被写体光は、撮像素子１２の受光面に入射する。撮像素子１２は、ＣＣＤ（Charge Coupled Device）やＣＭＯＳ（Complementary Metal Oxide Semiconductor）などからなり、受光面に入射する被写体光を電荷として蓄積して、被写体像を撮像する。撮像素子１２に被写体像が撮像される際、ＣＰＵ１１は、ピント調整装置１３を作動させ、オートフォーカス（ＡＦ（Auto Focus））機能を働かせる。ピント調整装置１３は、例えば、撮像素子１２の受光面上に投影される被写体像のコントラストが最も高くなるように撮影レンズ３の位置を移動させ、焦点を自動調整するコントラスト方式や、不図示のオートフォーカス用センサーによって得られたデフォーカス量を元に撮影レンズ３の位置を移動させ、焦点を自動調整する位相差方式にてピント調整を行う。撮像素子１２の受光面に結像した被写体像はアナログの撮像信号に変換され、この撮像信号は、ＴＧ（Timing Generator）１４によって生成されるタイミングに従ってＡ／Ｄ（Analog／Digital）変換回路１５に入力される。Ａ／Ｄ変換回路１５は、撮像素子１２が出力したアナログの撮像信号をデジタル信号に変換する。
【００２３】
Ａ／Ｄ変換回路１５で変換されたデジタルの撮像信号は、画像処理ブロック１８内の画像処理回路１６によってイメージメモリ１７に一時的に記憶される。画像処理回路１６は、イメージメモリ１７に記憶された撮像信号を読み出し、読み出したデジタルの撮像信号に対してホワイトバランス処理やガンマ補正などの画像処理を行って現像画像データを生成し、圧縮回路１９へ出力する。圧縮回路１９は、画像処理回路１６から入力した現像画像データを所定の比率で圧縮する圧縮処理を行い、ＪＰＥＧ（Joint Photographic Experts Group）等の圧縮画像データを生成する際に用いられる。圧縮処理された画像データは、イメージメモリ１７に一時的に格納される。イメージメモリ１７に格納された圧縮画像データは、図示しないカードスロットに着脱される不揮発性メモリからなるカード状の記録媒体２２に保存される。また、表示回路２０に出力されて、デジタルスチルカメラ１の背面に備えられたＴＦＴ（Thin Film Transistor）液晶からなる画像表示装置２３に画像として表示される。この画像表示装置２３には、各種の設定メニュー画面なども表示される。また、画像処理ブロック１８は、圧縮画像データを記録媒体２２に保存すると、ＣＰＵ１１へ撮影終了信号を送出する。
【００２４】
ＣＰＵ１１には、ＬＣＤ（Liquid Crystal Display）からなる表示装置６が接続されている。この表示装置６は、筐体であるカメラボディ２の上面に設けられて、所定の情報を表示する表示手段を構成しており、所定の情報として、例えば、グリップ部４の後部に設けられたコマンドダイヤル７によって設定されるデジタルスチルカメラ１のシャッタースピードや絞り値等の撮影情報を表示する。ＣＰＵ１１は、撮影終了信号を画像処理ブロック１８から入力すると、表示装置６に表示させる撮影可能コマ数を１つ減らし、撮影コマ数を１つ増やす信号を表示装置６へ送出し、表示装置６の表示内容を更新する。
【００２５】
また、ＣＰＵ１１には、ケーブル２４を介してＧＰＳ（Global Positioning System）受信装置２５が接続されている。ＧＰＳ受信装置２５はケーブル２４によってデジタルスチルカメラ１から電源が供給される。このＧＰＳ受信装置２５には、同軸ケーブル２６を介して、ＧＰＳ衛星から測位信号を受信するアンテナ２７が接続されている。ＧＰＳ受信装置２５は、アンテナ２７で受信された測位信号を基に、撮影位置の緯度、経度、および高度を検出して、ケーブル２４によってＣＰＵ１１へ出力する。ＧＰＳ受信装置２５は、アンテナ２７で受信された測位信号を基に撮影位置を検出する位置検出手段を構成している。
【００２６】
ＣＰＵ１１へ出力された上記の撮影位置の緯度、経度、および高度の各情報は、画像処理ブロック１８へ送信されて、撮像素子１２によって撮影された各画像のＥｘｉｆ（Exchangeable image file format）形式の画像ファイルにおけるヘッダ領域に記録される。ヘッダ領域に撮影位置が記録された各画像ファイルは、さらに画像処理回路１６によって記録媒体２２に記録される。ＣＰＵ１１、画像処理回路１６および記録媒体２２は、ＧＰＳ受信装置２５によって検出された撮影位置の情報を記録する位置情報記録手段を構成している。また、ＣＰＵ１１には、操作部材２８が接続されている。操作部材２８は、デジタルスチルカメラ１の電源スイッチやレリーズボタン５、コマンドダイヤル７、撮影モードダイヤル８などである。
【００２７】
図３（ａ）は、デジタルスチルカメラ１の表示装置６の平面図であり、同図（ｂ）は、その構成の概略を示した断面図である。
【００２８】
表示装置６にはＬＣＤ３１が備えられ、このＬＣＤ３１は異方性導電ゴムなどからなる配線部材３２，３２を介して配線基板３３に接続されている。配線基板３３は、ＣＰＵ１１の制御に応じてＬＣＤ３１に表示信号を与え、ＬＣＤ３１の情報表示面３１ａにシャッター速度「２５０」や絞り値「５．６」、撮影可能コマ数「１２７」などを表示させる。また、ＬＣＤ３１の上方には、ＬＣＤ３１の表面を保護するための保護カバー３４が設けられている。保護カバー３４は、アクリル等の透明樹脂で形成され、上面の周囲が上面カバー２ａの内周の縁に固定されて、ＬＣＤ３１の情報表示面３１ａに対向して設けられている。
【００２９】
同図（ａ）に示された斜線部の領域は、アンテナ２７が形成されるアンテナパターン形成領域２７Ａである。アンテナ２７は、同図（ｂ）に示すように、表示装置６を保護する保護カバー３４の裏面における上面カバー２ａで隠れる位置であって、保護カバー３４におけるＬＣＤ３１の情報表示面３１ａを遮らない位置に、パターニングされた金属が接着されて形成されている。
【００３０】
図４は、図３（ａ）に示す表示装置６の保護カバー３４を下面側から見た裏面図であり、アンテナ２７のアンテナパターン例を示している。
【００３１】
アンテナパターンは、ＧＰＳ衛星からの測位信号周波数を効率良く捕えるようにその形状等が決定されるが、本実施形態によるアンテナ２７は、保護カバー３４の下面側の周囲におけるアンテナパターン形成領域２７Ａに、内側の第一アンテナ部２７ａと外側の第二アンテナ部２７ｂとで構成されている。第一アンテナ部２７ａはグランドに接続されており、アンテナ２７がＧＰＳ衛星から測位信号を受信すると、第一アンテナ部２７ａと第二アンテナ部２７ｂとの間に電位差が生じる。この電位差は同軸ケーブル２６を介してＧＰＳ受信装置２５に出力され、ＧＰＳ受信装置２５によって撮影位置が検出される。なお、グランド接続は、第一アンテナ部２７ａではなく第二アンテナ部２７ｂであってもよい。
【００３２】
このような本実施形態によるデジタルスチルカメラ１によれば、上述したように、アンテナ２７は、ＧＰＳ衛星から測位信号を受信するのに有利で、比較的広い受信面積を確保できる、カメラボディ２上面の表示装置６を保護する保護カバー３４に配置される。このため、ペンタ部９の内蔵ストロボをカメラボディ２から突出させることによってストロボ光を前方へ反射させる金属製反射板が移動しても、アンテナ２７は、内蔵ストロボの金属製反射板の動きに影響されずにＧＰＳ衛星からの測位信号を受信することができる。従って、アンテナ２７の受信特性が不安定になる虞はなくなる。
【００３３】
また、本実施形態によるデジタルスチルカメラ１によれば、アンテナ２７が、保護カバー３４における表示装置６の情報表示面３１ａを遮らない位置に形成されるので、表示装置６の視認性を悪化させることはない。また、本実施形態によるデジタルスチルカメラ１によれば、表示装置６の情報表示面３１ａは透明樹脂で形成された保護カバー３４を介して、金属製アンテナ２７によって遮られることなく視認されるので、表示装置６の視認性を悪化させることなくアンテナ２７を配置することができる。
【００３４】
なお、上記実施形態では、アンテナ２７が上面カバー２ａで隠れるように、保護カバー３４に配置した場合を説明したが、本発明はこれに限られることはない。例えば、アンテナ２７を図５（ａ）に示すように構成してもよい。なお、同図において図３（ｂ）と同一の部分には同一の符号を付してその説明は省略する。
【００３５】
同図（ａ）は、上面カバー２ａが金属製の場合の第１の変形例によるアンテナ２７を示した断面図である。上面カバー２ａが金属製である場合、上面カバー２ａの下面にアンテナ２７を配置すると、アンテナ２７は、ＧＰＳ衛星からの測位信号を受信し難くなる。そこで、本構成では、アンテナ２７を、上面カバー２ａと重ならない上面カバー２ａより内側の保護カバー３４の下面に配置する。その際、アンテナ２７が外部から見えないように、アンテナ２７の上面に位置する保護カバー３４の上面を塗装３６で覆う。この構成によれば、上面カバー２ａが金属製で構成されたとしても、上記実施形態と同様の作用・効果を奏し、アンテナ２７の受信特性が不安定になる虞はない。
【００３６】
また、上記実施形態では、保護カバー３４をアクリル等の透明樹脂で形成し、アンテナ２７を金属で形成する構成を説明したが、本発明はこれに限られることはない。例えば、保護カバー３４をガラスで形成し、アンテナ２７をＩＴＯ膜などの透明電極膜で形成する構成であってもよい。
【００３７】
この構成においては、表示装置６の情報表示面３１ａが、ガラスで形成された保護カバー３４または透明電極膜で形成されたアンテナ２７を介して視認されるので、表示装置６の視認性を悪化させることなくアンテナ２７を配置することができる。このため、本構成でも、上記実施形態と同様の作用・効果を奏し、アンテナ２７の受信特性が不安定になる虞はない。
【００３８】
また、保護カバー３４をガラスで形成した場合は、アンテナ２７を図５（ｂ）に示すように構成してもよい。同図（ｂ）は、第２の変形例によるアンテナ２７を示した断面図である。なお、同図において図３（ｂ）と同一の部分には同一の符号を付してその説明は省略する。
【００３９】
アンテナ２７は、保護カバー３４の外側面と内側面の両面に配置され、表示装置６の情報表示面３１ａと対向する保護カバー３４の内側面に設けられたＩＴＯ膜からなるグランドプレーン領域３７と、保護カバー３４の外側面に設けられたＩＴＯ膜からなるアンテナパターン領域３８とから構成される。アンテナパターン領域３８は、その上面を保護膜またはシール３９で覆われる。
【００４０】
この構成によれば、保護カバー３４の外側面にアンテナパターン領域３８が設けられ、保護カバー３４の内側面に表示装置６の情報表示面３１ａと対向してグランドプレーン領域３７が広い面積で設けられることにより、アンテナ２７の受信感度を向上させることができる。このため、ＧＰＳ衛星からの測位信号が微弱であっても、また、雑音が多い状況下でも、ＧＰＳ衛星からの測位信号を受信することが可能になる。
【００４１】
また、ＧＰＳアンテナとして一般的なパッチアンテナのような大きなアンテナではデジタルスチルカメラ１に内蔵することができないが、上述した実施形態および各変形例によれば、アンテナ２７を表示装置６に内蔵することができる。アンテナ２７は、カメラボディ２の上面に設けられた表示装置６に、表示装置６の視認性を悪化させることなく配置されるので、カメラボディ２内にアンテナを内蔵するスペースを要しない。この結果、カメラボディ２内のスペース効率が向上する。さらに、アンテナ２７がカメラボディ２の上面の表示装置６に設けられるため、デジタルスチルカメラ１の使用時にはアンテナ２７を空に向けることができ、ＧＰＳ衛星からの測位信号を最も良い条件で受信することができる。
【００４２】
また、上述した実施形態および各変形例によれば、ＬＣＤ３１および配線基板３３は、保護カバー３４から数ミリメートル離れているため、カメラボディ２が金属製の場合、カメラボディ２の金属部との距離を確保でき、アンテナ２７の受信性能への影響を少なくすることができる。
【産業上の利用可能性】
【００４３】
上記の実施形態においては、本発明による撮影装置をデジタルスチルカメラに適用した場合について説明したが、動画像を撮影するデジタルビデオカメラなどの撮影装置に、本発明を適用することも可能である。このような撮影装置に本発明を適用した場合においても、上記の各実施形態と同様の作用効果が奏される。
【符号の説明】
【００４４】
１…デジタルスチルカメラ
６…表示装置
１１…ＣＰＵ
２５…ＧＰＳ受信装置
２６…同軸ケーブル
２７…アンテナ
３４…保護カバー
３６…塗装部
３７…グランドプレーン領域
３８…アンテナパターン領域
【図１】
2010287988.tif 000003
【図２】
2010287988.tif 000004
【図３】
2010287988.tif 000005
【図４】
2010287988.tif 000006
【図５】
2010287988.tif 000007